(57)【要約】【課題】浴槽内に常設することができる湯あか取り器であって、電源を必要としない簡単な構成であり、効率的に湯面付近に浮遊する湯あかを除去することができる湯あか取り器を提供する。【解決手段】浴槽３の排水口４に着脱自在に取付ける浴槽栓２に流水口９が貫通状に形成され、該浴槽栓２の上部に流水口４を囲む状態で伸縮自在の蛇腹管５の下端が結合されると共に、該蛇腹管５の上端に吸込体６が設けられ、該吸込体６は外周に形成された多数の細孔１３と蛇腹管５に連通する内腔１４と該内腔から上部に開かれた開口７とを有し、さらに浴槽栓２の上部に接続した長尺の引上げ部材８を蛇腹管５の内部に挿通して吸込体６の開口７から引出し、引上げ部材８の上端を浴槽３の上部に設けられた固定金具１５に接続する。【選択図】図２
2009171991.tif 000002
【特許請求の範囲】
【請求項１】
浴槽の排水口に着脱自在に取付ける浴槽栓に流水口が貫通状に形成され、該浴槽栓の上部に流水口を囲む状態で伸縮自在の蛇腹管の下端が結合されると共に、該蛇腹管の上端に吸込体が設けられ、該吸込体は外周に形成された多数の細孔と蛇腹管に連通する内腔と該内腔から上部に開かれた開口とを有し、さらに浴槽栓の上部に接続した長尺の引上げ部材を蛇腹管の内部に挿通して吸込体の開口から引出し、引上げ部材の上端を浴槽の上部に設けられた固定金具に接続する構成を有し、
浴槽の排水口に浴槽栓を取付けると共に、蛇腹管を伸長することにより湯面の高さに吸込体の細孔を位置せしめ、各細孔から吸込体内部に流入する湯を蛇腹管を経て流水口に流入させることにより、湯あかを排出するようにしたことを特徴とする湯あか取り器。
【請求項２】
吸込体は蛇腹管の上端に固定されるか、又は取換え自在に設けられたことを特徴とする請求項１記載の湯あか取り器。
【請求項３】
浴槽栓は、中央に流水口を貫通状に形成した弾性体の内部に十字形の補強金具を埋込んだ構成とされ、該補強金具の十字形の中央に引上げ部材の下端部を接続するようにしたことを特徴とする請求項１又は２記載の湯あか取り器。
【発明の詳細な説明】
【技術分野】
【０００１】
本発明は、浴槽内の湯面に浮遊している湯あかを取り去ることができる湯あか取り器に関する。
【背景技術】
【０００２】
浴槽内の湯あかは浮力によって湯面に浮遊する。この湯あかを取り去る簡易な方法としては、洗面器を湯面付近で徐々に沈めることにより、湯面近くに浮遊した湯あかを湯と共に洗面器内に流入させることである。しかしながら、この方法は浴槽内の湯を無駄に棄てることになり、また手作業によるため、面倒であって効率的な方法ではなかった。
【０００３】
そこで従来から種々の湯あか取り器が案出されているが、その大半は吸水性繊維を用いたフィルター等を利用するもの、又は網状に構成したものを用いて手作業で湯あかをすくい取るようにしたものが大半である。
【０００４】
また、特許文献１に示すように、常設型の湯あか取り器もあるが、電動式のポンプを必要とし、またポンプの内部に設けられたフィルターを交換する必要があり、さらにはポンプに接続したチューブの先端のラッパ口を湯面の方向に向けるには、手作業を要するものであった。
【特許文献１】実開平４−７８９０８号公報
【発明の開示】
【発明が解決しようとする課題】
【０００５】
本発明は、上記の事情に鑑みてなされたもので、浴槽内に常設することができる湯あか取り器であって、電源を必要としない簡単な構成であり、しかも効率的に湯面付近に浮遊する湯あかを除去することができる湯あか取り器を提供することを目的とする。
【課題を解決するための手段】
【０００６】
上記の問題を解決するために、本発明における請求項１の湯あか取り器は浴槽の排水口に着脱自在に取付ける浴槽栓に流水口が貫通状に形成され、該浴槽栓の上部に流水口を囲む状態で伸縮自在の蛇腹管の下端が結合されると共に、該蛇腹管の上端に吸込体が設けられ、該吸込体は外周に形成された多数の細孔と蛇腹管に連通する内腔と該内腔から上部に開かれた開口とを有し、さらに浴槽栓の上部に接続した長尺の引上げ部材を蛇腹管の内部に挿通して吸込体の開口から引出し、引上げ部材の上端を浴槽の上部に設けられた固定金具に接続する構成を有し、浴槽の排水口に浴槽栓を取付けると共に、蛇腹管を伸長することにより湯面の高さに吸込体の細孔を位置せしめ、各細孔から吸込体内部に流入する湯を蛇腹管を経て流水口に流入させることにより、湯あかを排出するようにしたことを特徴とする。
【０００７】
また、本発明による請求項２の湯あか取り器は、請求項１において、吸込体は蛇腹管の上端に固定されるか、又は取換え自在に設けられたことを特徴とする。
【０００８】
さらに、本発明による請求項３の湯あか取り器は、請求項１又は２において、浴槽栓は、中央に流水口を貫通状に形成した弾性体の内部に十字形の補強金具を埋込んだ構成とされ、該補強金具の十字形の中央に引上げ部材の下端部を接続するようにしたことを特徴とする。
【発明の効果】
【０００９】
本発明の湯あか取り器は、蛇腹管の下端に設けられた浴槽栓を浴槽の排水口に取付けることによって浴槽の排水口を閉塞することができる。また、蛇腹管を伸長し、所望の湯面の高さに吸込体の細孔を位置せしめることによって、浴槽内の湯は吸込体の細孔の高さまで蓄えることができる。
【００１０】
また、入浴中であっても、入浴していないときであっても、実際の湯面の高さに応じて蛇腹管を伸縮させ、吸込体を手動による蛇腹管の伸縮調整によって湯面の高さに位置せしめることにより、湯面付近の湯が吸込体の各細孔から吸込体内部に流入し、その際に湯面付近に浮遊する湯あかも流入し、さらに吸込体と浴槽栓との落差によって、吸込体内に流入した湯あかを含む湯は、蛇腹管を経て浴槽栓まで流下することにより、浴槽栓の流水口から排出されることとなる。
【００１１】
また、本発明の湯あか取り器の浴槽栓は、浴槽の排水口に着脱自在に取付けることができ、この浴槽栓には引上げ部材が接続されているため、吸込体の開口から引出された引上げ部材を引上げることによって、浴槽栓が蛇腹管と共に引上げられ、これによって浴槽の排水口が開き、浴槽内の湯を排出することが可能となる。
【００１２】
従って、上記のように、本発明の湯あか取り器は、浴槽栓の役割を果たすと共に、電源を必要とすることなく、吸込体の高さ調節によって湯面を一定の高さに保つことができ、さらに吸込体の細孔から蛇腹管へと流入する湯を湯面付近に浮遊する湯あかと共に流下して浴槽栓の流水口から排出することが可能となる。
【発明を実施するための最良の形態】
【００１３】
以下、本発明の実施例について図面を参照しながら説明する。
【実施例】
【００１４】
図１（ａ）は本発明による湯あか取り器の全体構造を示す側面図であり、図１（ｂ）は吸込体の内部に浮袋を設けた例を示す部分断面図である。図２（ａ）、（ｂ）は本発明による湯あか取り器の浴槽栓を浴槽の排水口に取付けた状況を示す図である。図３（ａ）は本発明による湯あか取り器の浴槽栓を浴槽の排水口に取付けた状況を示す部分拡大図であり、（ｂ）は浴槽栓の上面図である。
【００１５】
図１（ａ）又は図２（ａ）、（ｂ）に示すように、本発明による湯あか取り器１は、浴槽３の排水口４に着脱自在に取付けた浴槽栓２と、浴槽栓２の上部に結合した蛇腹管５と、蛇腹管５の上部に設けられた吸込体６と、浴槽栓２の上部に接続して蛇腹管５の内部を挿通すると共に吸込体６の開口７から引出した引上げ部材８とを有する構成とされている。
【００１６】
上記の構成について詳細に述べると、浴槽栓２は、図３（ａ）に示すように浴槽３の底部に設けられた排水口４に着脱自在に取付けることができるゴム製の弾性体から構成することができる。また、浴槽栓２の中央には流水口９が貫通状に形成され、弾性体の内部に十字形の補強金具１０（図３（ｂ）参照）が補強材料として埋込まれると共に、該補強金具１０の十字形の中央に引上げ部材８の下端部を接続した構成を有するものである。このような構成において、補強金具１０の十字形の中央に突出部１１を形成し、該突出部１１に設けられた貫通孔１１ａに引上げ部材８の下端に連結したリング状金属環１２を接続することも可能である。
【００１７】
なお、引上げ部材８は各種の金属製の鎖状部材を使用するほかに、腐食し難いステンレス製ワイヤ、その他の引張り力に強く可撓性を有する線材を使用することができる。
【００１８】
さらに、本実施例の湯あか取り器１は、上記の浴槽栓２の上部に流水口９を囲む状態で伸縮自在の蛇腹管５を結合した構成とされている。この蛇腹管５は弾性金属線材を螺旋状に形成すると共に、合成樹脂で管状に被覆することによって伸縮自在な円筒形に形成したものであり、蛇腹管５の下端部は浴槽栓２の上部に流水口９を囲む状態で結合されている。従って、浴槽栓２に設けられた流水口９は蛇腹管５によって閉塞された状態とされる。
【００１９】
また、蛇腹管５の上端には吸込体６が設けられている。この吸込体６は、蛇腹管５の上端に設けられた差込構造等によって取換え可能に構成され、略球形を成す吸込体６のほかに、各種のキャラクター等の形状に取り替え可能としてもよい。この吸込体６には、その外周に多数の細孔１３、１３…が形成され、その内部に蛇腹管５に連通する内腔１４を有し、さらに内腔１４から上部に開かれた開口７を有する構成とされている。
【００２０】
さらに、図１（ａ）に示すように、上記の浴槽栓２の上部に接続した引上げ部材８を蛇腹管５の内部に挿通して吸込体６の上部の開口７から引出し、図２（ａ）、（ｂ）に示すように、引上げ部材８の上端の金属環１６を浴槽３の上部に固定された固定金具１５に接続した構成としている。
【００２１】
上記の構成により、本実施例の湯あか取り器１は、図３（ａ）に示すように、蛇腹管５の下端に設けられた浴槽栓２を浴槽３の排水口４に取付けることによって、浴槽３の排水口４を閉塞することができる。また、図２（ａ）、（ｂ）に示すように、浴槽栓２に結合された蛇腹管５を伸縮すると共に、浴槽栓２の上部に接続した引上げ部材８を蛇腹管５を経て吸込体６の開口７から引出し、浴槽３の上部に固定された固定金具１５に接続することができるため、引上げ部材８を適度の長さにすることにより、蛇腹管５を上方に向けて立設状態に保持することが可能となる。この状態で浴槽３内に湯を供給すると、湯面１７は吸込体６の細孔１３、１３…に到る高さまで上昇して浴槽３内に蓄えられる。
【００２２】
上記のように蛇腹管５を伸縮調整することによって、所望の湯面１７の高さに吸込体６の細孔１３、１３…を位置せしめることにより、浴槽３内の湯は吸込体６の細孔１３、１３…の高さまで蓄えることができ、湯が吸込体６の細孔１３、１３…の高さをこした時点で細孔１３、１３…から吸込体６の内腔１４へと流入し、蛇腹管５を経て浴槽栓２の流水口９から排出されることとなる。
【００２３】
また、実際の湯面１７の高さに応じて蛇腹管５を伸縮調整することができ、吸込体６の細孔１３、１３…を湯面１７の高さに位置せしめることにより、湯面１７付近の湯が各細孔１３、１３…から吸込体６の内部に流入し、その際に湯面１７付近の湯あかも流入し、さらに吸込体６と浴槽栓２との落差によって、吸込体６内に流入した湯あかを含む湯は蛇腹管５を経て浴槽栓２まで流下することにより、浴槽栓２の流水口９から排出されることとなる。
【００２４】
また、本発明の湯あか取り器１の浴槽栓２は、浴槽３の排水口４に着脱自在に取付けることができ、この浴槽栓３には引上げ部材８が接続されているため、吸込体６の開口７から引出された引上げ部材８を引上げることによって、浴槽栓２が蛇腹管５と共に引上げられ、これによって浴槽３の排水口４が開き、浴槽３内の湯を排出することが可能となる。
【００２５】
なお、本実施例においては、図１（ｂ）に示すように、吸込体６の内周やその他の部位に浮袋１８を設けることによって、引上げ部材８が切断した際等においても、吸込体６が湯面１７に浮いた状態を保つことができる構成としてもよい。
【産業上の利用可能性】
【００２６】
本発明の湯あか取り器は、浴槽内に常設することができる湯あか取り器であって、電源等を必要としない簡単な構成であり、しかも手作業を必要とすることなく、効率的に湯面の湯あかを除去することができる湯あか取り器として利用することが可能である。
【図面の簡単な説明】
【００２７】
【図１】(ａ)は本発明による湯あか取り器の全体構造を示す側面図であり、（ｂ）は吸込体の内部に浮袋を設けた例を示す部分断面図である。
【図２】図２（ａ）、（ｂ）は本発明による湯あか取り器の浴槽栓を浴槽の排水口に取付けた状況を示す図であり、(ａ)は湯面が上位の状態を示し、（ｂ）は湯面が（ａ）よりも下位の状態を示す。
【図３】図３（ａ）は本発明による湯あか取り器の浴槽栓を浴槽の排水口に取付けた状況を示す部分拡大図であり、（ｂ）は浴槽栓の上面図である。
【符号の説明】
【００２８】
１  湯あか取り器
２  浴槽栓
３  浴槽
４  排水口
５  蛇腹管
６  吸込体
７  開口
８  引上げ部材
９  流水口
１０  補強金具
１１  突出部
１１ａ  貫通孔
１２  金属環
１３  細孔
１４  内腔
１５  固定金具
１６  金属環
１７  湯面
１８  浮袋
【図１】
2009171991.tif 000003
【図２】
2009171991.tif 000004
【図３】
2009171991.tif 000005